(57)【要約】【課題】  簡単な構成で動画像の記録を予約すること。【解決手段】  携帯電話は、映像を記録する映像処理部１１５と、個人に関連する情報を日時と関連付けた個人情報を記憶する記憶部１１３と、記憶部１１３に記憶された個人情報を管理する制御部１０１とを備え、制御部１０１は、映像処理部１１５の稼動状態を日時と関連付けた稼動状態情報を個人情報とともに記憶部１１３に記憶するスケジュール登録部と、稼動状態情報に含まれる日時になったことを検出し、検出手段による検出に応じて映像処理部１１５を能動化する映像録画部とを含む。【選択図】        図２
2005236912.tif 000002
【特許請求の範囲】
【請求項１】
動画像を記録する動画像記録手段と、
個人に関連する情報を日時と関連付けた個人情報を記憶するスケジュール記憶手段と、
前記スケジュール記憶手段に記憶された個人情報を管理するスケジュール管理手段とを備え、
前記スケジュール管理手段は、前記動画像記録手段の稼動状態を日時と関連付けた稼動状態情報を前記個人情報とともに前記スケジュール記憶手段に記憶する稼動状態情報記憶手段と、
前記稼動状態情報に含まれる日時になったことを検出する検出手段と、
前記検出手段による検出に応じて前記動画像記録手段を能動化する起動手段とを含む、携帯情報端末。
【請求項２】
放送信号を受信する受信手段と、
個人に関連する情報を日時と関連付けた個人情報を記憶するスケジュール記憶手段と、
前記スケジュール記憶手段に記憶された個人情報を管理するスケジュール管理手段とを備え、
前記スケジュール管理手段は、前記受信手段の稼動状態を日時と関連付けた稼動状態情報を前記個人情報とともに前記スケジュール記憶手段に記憶する稼動状態情報記憶手段と、
前記稼動状態情報に含まれる日時になったことを検出する検出手段と、
前記検出手段による検出に応じて前記受信手段を能動化する起動手段とを含む、携帯情報端末。
【請求項３】
外部装置と接続可能であり、前記外部装置から動画像を入力する入力手段をさらに備えた、請求項１に記載の携帯情報端末。
【請求項４】
前記スケジュール管理手段は、前記スケジュール記憶手段に記憶された個人情報および稼動状態情報のうちから同一日付の個人情報および稼動状態情報を選択して単一の画面に表示する表示手段をさらに含む、請求項１または２に記載の携帯情報端末。
【請求項５】
他の通信端末と無線で通信するための通信手段と、
前記動画像記録手段が動画像を記録している間に前記通信手段により着呼が検出された場合には、前記動画像記録手段による記録を中止する中止手段とをさらに備えた、請求項１に記載の携帯情報端末。
【請求項６】
他の通信端末と無線で通信するための通信手段と、
前記受信手段が動画像を受信している間に前記通信手段により着呼が検出された場合には、前記受信手段による受信を中止する中止手段とをさらに備えた、請求項２に記載の携帯情報端末。
【請求項７】
他の通信端末と無線で通信するための通信手段と、
前記通信手段により前記他の通信端末から前記外部装置が将来出力する動画像の内容および出力予定日時を含む予定情報を受信する予定情報受信手段と、
前記受信された予定情報からキーワードを抽出するキーワード抽出手段と、
前記抽出されたキーワードの指定を受付けるキーワード指定手段とをさらに備え、
前記通信手段は、前記指定されたキーワードに応じたネットワークアドレスにアクセスするアクセス手段を含む、請求項１に記載の携帯情報端末。
【請求項８】
他の通信端末と無線で通信するための通信手段と、
前記通信手段により前記他の通信端末から前記受信手段が将来出力する動画像の内容および出力予定日時を含む予定情報を受信する予定情報受信手段と、
前記受信された予定情報からキーワードを抽出するキーワード抽出手段と、
前記抽出されたキーワードの指定を受付けるキーワード指定手段とをさらに備え、
前記通信手段は、前記指定されたキーワードに応じたネットワークアドレスにアクセスするアクセス手段を含む、請求項２に記載の携帯情報端末。
【請求項９】
前記通信手段は、前記キーワードがネットワークアドレスの場合、該ネットワークアドレスにアクセスする、請求項７または８に記載の携帯情報端末。
【請求項１０】
前記アクセス手段は、前記キーワードがネットワークアドレスでない場合、予め定められた検索サイトのネットワークアドレスにアクセスし、前記キーワードを検索キーとして送信する、請求項７または８に記載の携帯情報端末。
【請求項１１】
他の通信端末と無線で通信するための通信手段と、
前記通信手段により前記他の通信端末から前記外部装置が将来出力する動画像の内容および出力予定日時を含む予定情報を受信する予定情報受信手段とをさらに備え、
前記スケジュール管理手段は、前記予定情報を表示する予定情報表示手段と、
前記表示された予定情報のうちから少なくとも１つの予定情報の指定を受付ける予約受付手段とをさらに含み、
前記稼動状態記憶手段は、前記予約受付手段により予定情報の指定が受付けられたことに応じて、前記指定された予定情報の少なくとも一部を前記稼動状態情報として記憶する、請求項１に記載の携帯情報端末。
【請求項１２】
他の通信端末と無線で通信するための通信手段と、
前記通信手段により前記他の通信端末から前記受信手段が将来出力する動画像の内容および出力予定日時を含む予定情報を受信する予定情報受信手段とをさらに備え、
前記スケジュール管理手段は、前記予定情報を表示する予定情報表示手段と、
前記表示された予定情報のうちから少なくとも１つの予定情報の指定を受付ける予約受付手段とをさらに含み、
前記稼動状態記憶手段は、前記予約受付手段により予定情報の指定が受付けられたことに応じて、前記指定された予定情報の少なくとも一部を前記稼動状態情報として記憶する、請求項２に記載の携帯情報端末。
【請求項１３】
前記動画像記録手段は、前記動画像を該動画像が記憶された日時と関連付けて記憶し、
前記動画像記録手段に記憶された動画像を一覧表示する指示の受付に応じて、前記動画像に関連する関連情報を表示する関連情報表示手段と、
前記表示された関連情報の指定を受付ける関連情報指定手段と、
前記指定された関連情報で特定される日時に基づき、前記稼動状態情報を読出して表示する稼動状態表示手段とをさらに備えた、請求項１に記載の携帯情報端末。
【請求項１４】
前記受信手段が出力する動画像を該動画像が受信された日時と関連付けて記憶する動画像記録手段と、
前記動画像記録手段に記憶された動画像を一覧表示する指示の受付に応じて、前記動画像に関連する関連情報を表示する関連情報表示手段と、
前記表示された関連情報の指定を受付ける関連情報指定手段と、
前記指定された関連情報で特定される日時に基づき、前記稼動状態情報を読出して表示する稼動状態表示手段とをさらに備えた、請求項２に記載の携帯情報端末。
【請求項１５】
前記動画像記録手段は、前記動画像を該動画像が記憶された日時と関連付けて記憶し、
前記動画像記録手段に記憶された動画像を一覧表示する指示の受付に応じて、前記動画像に関連する関連情報を表示する関連情報表示手段と、
前記表示された関連情報の指定を受付ける関連情報指定手段と、
前記指定された関連情報で特定される日時と同じ日付の個人情報を前記スケジュール記憶手段から読出して表示するスケジュール表示手段とをさらに含む、請求項１に記載の携帯情報端末。
【請求項１６】
前記受信手段が出力する動画像を該動画像が受信された日時と関連付けて記憶する動画像記録手段と、
前記動画像記録手段に記憶された動画像を一覧表示する指示の受付に応じて、前記動画像に関連する関連情報を表示する関連情報表示手段と、
前記表示された関連情報の指定を受付ける関連情報指定手段と、
前記指定された関連情報で特定される日時と同じ日付の個人情報を前記スケジュール記憶手段から読出して表示するスケジュール表示手段とをさらに含む、請求項２に記載の携帯情報端末。
【請求項１７】
パスワードを予め記憶するパスワード記憶手段をさらに備え、
前記関連情報表示手段は、入力されたパスワードが前記パスワード記憶手段に記憶されたパスワードと一致することを条件に表示する、請求項１３〜１６のいずれかに記載の携帯情報端末。
【請求項１８】
画像データを入力する入力手段と、
前記入力された画像データを、該画像データが入力された日付と関連付けて記憶する画像データ記憶手段と、
個人に関連する情報を日時と関連付けた個人情報を記憶するスケジュール記憶手段と、
前記スケジュール記憶手段に記憶された個人情報を管理するスケジュール管理手段と、
前記画像データの少なくとも一部分を表示する画像データ表示手段と、
前記表示された画像データの一部分の指定を受付ける画像データ指定手段とを備え、
前記スケジュール管理手段は、前記画像データ指定手段による指定に応じて、前記指定された画像データが入力された日時と同じ日付の個人情報を前記スケジュール記憶手段から読み出して表示するスケジュール表示手段を含む、携帯情報端末。
【請求項１９】
動画像を記録する動画像記録手段と、個人に関連する情報を日時と関連付けた個人情報を記憶するスケジュール記憶手段とを備えたコンピュータで実行されるスケジュール管理プログラムであって、
前記動画像記録手段の稼動状態を日時と関連付けた稼動状態情報を前記個人情報とともに前記スケジュール記憶手段に記憶するステップと、
前記稼動状態情報に含まれる日時になったことを検出する検出ステップと、
前記検出ステップによる検出に応じて前記動画像記録手段を能動化するステップとをコンピュータに実行させる、スケジュール管理プログラム。
【請求項２０】
放送信号を受信する受信手段と、個人に関連する情報を日時と関連付けた個人情報を記憶するスケジュール記憶手段とを備えたコンピュータで実行されるスケジュール管理プログラムであって、
前記受信手段の稼動状態を日時と関連付けた稼動状態情報を前記個人情報とともに前記スケジュール記憶手段に記憶するステップと、
前記稼動状態情報に含まれる日時になったことを検出するステップと、
前記検出ステップによる検出に応じて前記受信手段を能動化するステップとをコンピュータに実行させる、スケジュール管理プログラム。
【請求項２１】
個人に関連する情報を日時と関連付けた個人情報を記憶するスケジュール記憶手段を備えたコンピュータで実行されるスケジュール管理プログラムであって、
画像データを入力するステップと、
前記入力された画像データを、該画像データが入力された日付と関連付けて記憶するステップと、
個人に関連する情報を日時と関連付けた個人情報を記憶するステップと、
前記記憶された画像データの少なくとも一部分を表示するステップと、
前記表示された画像データの一部分の指定を受付けるステップと、
前記画像データの指定に応じて、前記指定された画像データが入力された日時と同じ日付の個人情報を前記スケジュール記憶手段から読み出して表示するステップとをコンピュータに実行させる、スケジュール管理プログラム。
【請求項２２】
外部から入力された動画像を記録する動画像記録手段と、個人に関連する情報を日時と関連付けた個人情報を記憶するスケジュール記憶手段とを備えたコンピュータで実行されるスケジュール管理方法であって、
前記動画像記録手段の稼動状態を日時と関連付けた稼動状態情報を前記個人情報とともに前記スケジュール記憶手段に記憶するステップと、
前記稼動状態情報に含まれる日時になったことを検出する検出ステップと、
前記検出ステップによる検出に応じて前記動画像記録手段を能動化するステップとをコンピュータに実行させる、スケジュール管理方法。
【請求項２３】
放送信号を受信する受信手段と、個人に関連する情報を日時と関連付けた個人情報を記憶するスケジュール記憶手段とを備えたコンピュータで実行されるスケジュール管理方法であって、
前記受信手段の稼動状態を日時と関連付けた稼動状態情報を前記個人情報とともに前記スケジュール記憶手段に記憶するステップと、
前記稼動状態情報に含まれる日時になったことを検出するステップと、
前記検出ステップによる検出に応じて前記受信手段を能動化するステップとをコンピュータに実行させる、スケジュール管理方法。
【請求項２４】
個人に関連する情報を日時と関連付けた個人情報を記憶するスケジュール記憶手段を備えたコンピュータで実行されるスケジュール管理方法であって、
画像データを入力するステップと、
前記入力された画像データを、該画像データが入力された日付と関連付けて記憶するステップと、
個人に関連する情報を日時と関連付けた個人情報を記憶するステップと、
前記記憶された画像データの少なくとも一部分を表示するステップと、
前記表示された画像データの一部分の指定を受付けるステップと、
前記画像データの指定に応じて、前記指定された画像データが入力された日時と同じ日付の個人情報を前記スケジュール記憶手段から読み出して表示するステップとをコンピュータに実行させる、スケジュール管理方法。
【発明の詳細な説明】
【技術分野】
【０００１】
この発明は、携帯情報端末、スケジュール管理プログラムおよびスケジュール管理方法に関し、特に、個人のスケジュールを管理するための機能を備えた携帯情報端末、およびコンピュータにより実行されるスケジュール管理プログラムおよびスケジュール管理方法に関する。
【背景技術】
【０００２】
近年普及しつつあるデジタル放送では、電子番組表（ＥＰＧ：Ｅｌｅｃｔｒｉｃ  Ｐｒｏｇｒａｍ  Ｇｕｉｄｅ）が番組情報とともに送信される。また、ＥＰＧが、番組情報とは別の通信経路で送信される場合もある。このＥＰＧを映像情報とともに表示する技術が知られている（たとえば、特許文献１、特許文献２）。
【０００３】
また、放送番組を録画するビデオレコーダは、設置場所が固定されているため、予め録画する放送番組を予約しておく予約機能を有する。この予約機能は、ユーザがビデオレコーダに直接予約情報を入力することにより予約が設定される。この予約にＥＰＧを用いると便利である。
【０００４】
しかし、従来のビデオレコーダは、設置場所が固定されるため、録画を予約するのを忘れて外出してしまった場合などは、予約することができない。遠隔操作で予約設定することも考えられるが、この場合には、ビデオレコーダに通信機能を持たせ、かつ、ビデオレコーダに予約に必要な情報を送信する通信装置が必要となる。そのような通信装置に、携帯電話を用いることが知られている。この場合、ビデオレコーダをネットワークに接続しておき、ビデオレコーダに携帯電話を利用して電子メールを送信する。ビデオレコーダでは受信した電子メールに基づいて予約設定するものである。
【０００５】
一方、携帯電話は、カメラを備えたものがあり、カメラで撮像して得られた画像データを記録する。
【特許文献１】特開２００１−２８５７４７号公報
【特許文献２】特開２００２−３３９６８号公報
【発明の開示】
【発明が解決しようとする課題】
【０００６】
しかしながら、携帯電話を利用して予約設定する従来の技術は、ビデオレコーダをネットワークに接続する必要があり、複雑な構成のシステムとなり、またビデオレコーダが高価なものになってしまう。
【０００７】
また、携帯電話が記録する画像データは、画像データの他に記録した年月日が関連付けられるのみなので、ユーザが後に記録された画像データを閲覧する際に、画像データがどこで撮影したものなのかを思い出せないことがある。
【０００８】
さらに、従来の技術では、個人のスケジュール管理プログラムによるスケジュール管理と、携帯電話が記録する画像データとの間に関連付けがなく、例えば他の予定がある時間帯と画像データを記録する予定の時間帯とが重複してしまう問題があった。
【０００９】
この発明は上述した課題を解決するためになされたもので、この発明の目的の１つは、簡単な構成で動画像の記録を予約することが可能な携帯情報端末、スケジュール管理プログラムおよびスケジュール管理方法を提供することである。
この発明の他の目的は、簡単な構成で放送信号の受信を予約することが可能な携帯情報端末、スケジュール管理プログラムおよびスケジュール管理方法を提供することである。
【００１０】
この発明のさらに他の目的は、画像データとユーザの行動とを関連付けることが可能な携帯情報端末、スケジュール管理プログラムおよびスケジュール管理方法を提供することである。
【課題を解決するための手段】
【００１１】
上述した目的を達成するためにこの発明のある局面によれば、携帯情報端末は、動画像を記録する動画像記録手段と、個人に関連する情報を日時と関連付けた個人情報を記憶するスケジュール記憶手段と、スケジュール記憶手段に記憶された個人情報を管理するスケジュール管理手段とを備え、スケジュール管理手段は、動画像記録手段の稼動状態を日時と関連付けた稼動状態情報を個人情報とともにスケジュール記憶手段に記憶する稼動状態情報記憶手段と、稼動状態情報に含まれる日時になったことを検出する検出手段と、検出手段による検出に応じて動画像記録手段を能動化する起動手段とを含む。
【００１２】
この発明に従えば、動画像記録手段の稼動状態を日時と関連付けた稼動状態情報を個人情報とともに記憶し、稼動状態情報に含まれる日時になったことを検出すると、動画像記録手段を能動化する。このため、個人情報を管理するスケジュール管理手段で動画像記録手段を起動させることができる。このため、簡単な構成で動画像の記録を予約することが可能な携帯情報端末を提供することができる。
【００１３】
この発明の他の局面によれば、携帯情報端末は、放送信号を受信する受信手段と、個人に関連する情報を日時と関連付けた個人情報を記憶するスケジュール記憶手段と、前記スケジュール記憶手段に記憶された個人情報を管理するスケジュール管理手段とを備え、前記スケジュール管理手段は、前記受信手段の稼動状態を日時と関連付けた稼動状態情報を前記個人情報とともに前記スケジュール記憶手段に記憶する稼動状態情報記憶手段と、前記稼動状態情報に含まれる日時になったことを検出する検出手段と、前記検出手段による検出に応じて前記受信手段を能動化する起動手段とを含む。
【００１４】
この発明に従えば、受信手段の稼動状態を日時と関連付けた稼動状態情報個人情報とともに記憶し、稼動状態情報に含まれる日時になったことを検出すると、受信手段を能動化する。このため、個人情報を管理するスケジュール管理手段で受信手段を起動させることができる。このため、簡単な構成で放送信号の受信を予約することが可能な携帯情報端末を提供することができる。
【００１５】
好ましくは、外部装置と接続可能であり、外部装置から動画像を入力する入力手段をさらに備える。
【００１６】
この発明に従えば、外部装置に接続した状態で動画像が記録されるので、動画像を記録している間は、ユーザは携帯情報端末を携帯して移動することができない。このため、携帯情報端末の移動が制限される期間を、個人情報ととも管理することができる。
【００１７】
好ましくは、スケジュール管理手段は、スケジュール記憶手段に記憶された個人情報および稼動状態情報のうちから同一日付の個人情報および稼動状態情報を選択して単一の画面に表示する。
【００１８】
この発明に従えば、同一日付の個人情報および稼動状態情報が単一の画面に表示されるので、携帯情報端末の移動が制限される時期を、個人情報のスケジュールとともにユーザに知らせることができる。
【００１９】
好ましくは、他の通信端末と無線で通信するための通信手段と、動画像記録手段が動画像を記録している間に通信手段により着呼が検出された場合には、動画像記録手段による記録を中止する中止手段とをさらに備える。
【００２０】
この発明に従えば、動画像の記録よりも着呼が優先されるので、ユーザは動画像を記録していても、発呼者と通話することができる。
【００２１】
好ましくは、他の通信端末と無線で通信するための通信手段と、前記受信手段が動画像を受信している間に前記通信手段により着呼が検出された場合には、前記受信手段による受信を中止する中止手段とをさらに備える。
【００２２】
この発明に従えば、放送信号の受信よりも着呼が優先されるので、ユーザは放送信号を受信していても、発呼者と通話することができる。
【００２３】
好ましくは、他の通信端末と無線で通信するための通信手段と、通信手段により他の通信端末から外部装置が将来出力する動画像の内容および出力予定日時を含む予定情報を受信する予定情報受信手段と、受信された予定情報からキーワードを抽出するキーワード抽出手段と、抽出されたキーワードの指定を受付けるキーワード指定手段とをさらに備え、通信手段は、指定されたキーワードに応じたネットワークアドレスにアクセスするアクセス手段を含む。
【００２４】
この発明に従えば、他の通信端末から予定情報が受信され、予定情報からキーワードが抽出され、抽出されたキーワードの指定が受付けられると、指定されたキーワードに応じたネットワークアドレスにアクセスする。このため、予定情報に関連する情報を受信することができ、ユーザが予定情報で特定される動画像を記録するか否かを判断するのが容易となる。
【００２５】
好ましくは、他の通信端末と無線で通信するための通信手段と、前記通信手段により前記他の通信端末から前記受信手段が将来出力する動画像の内容および出力予定日時を含む予定情報を受信する予定情報受信手段と、前記受信された予定情報からキーワードを抽出するキーワード抽出手段と、前記抽出されたキーワードの指定を受付けるキーワード指定手段とをさらに備え、前記通信手段は、前記指定されたキーワードに応じたネットワークアドレスにアクセスするアクセス手段を含む。
【００２６】
この発明に従えば、他の通信端末から予定情報が受信され、予定情報からキーワードが抽出され、抽出されたキーワードの指定が受付けられると、指定されたキーワードに応じたネットワークアドレスにアクセスする。このため、予定情報に関連する情報を受信することができ、ユーザが予定情報で特定される放送信号を受信するか否かを判断するのが容易となる。
【００２７】
好ましくは、通信手段は、キーワードがネットワークアドレスの場合、該ネットワークアドレスにアクセスする。
【００２８】
この発明に従えば、予定情報に含まれるネットワークアドレスで特定される情報が受信される。
【００２９】
好ましくは、アクセス手段は、キーワードがネットワークアドレスでない場合、予め定められた検索サイトのネットワークアドレスにアクセスし、キーワードを検索キーとして送信する。
【００３０】
この発明に従えば、予め定められた検索サイトのネットワークアドレスにアクセスし、予定情報に含まれるキーワードを検索キーとして送信する。このため、キーワードで検索した結果が受信される。
【００３１】
好ましくは、他の通信端末と無線で通信するための通信手段と、通信手段により他の通信端末から外部装置が将来出力する動画像の内容および出力予定日時を含む予定情報を受信する予定情報受信手段とをさらに備え、スケジュール管理手段は、予定情報を表示する予定情報表示手段と、表示された予定情報のうちから少なくとも１つの予定情報の指定を受付ける予約受付手段とをさらに含み、稼動状態記憶手段は、予約受付手段により予定情報の指定が受付けられたことに応じて、指定された予定情報の少なくとも一部を稼動状態情報として記憶する。
【００３２】
この発明に従えば、他の通信端末から予定情報を受信し、予定情報を表示する。表示された予定情報のうちから少なくとも１つの予定情報の指定が受付けられると、指定された予定情報の少なくとも一部を稼動状態情報として記憶する。このため、ユーザは、受信された予定情報から所望のものを指定するだけで、稼動状態情報を記録することができる。その結果、稼動状態情報を容易に入力することができる。
【００３３】
好ましくは、他の通信端末と無線で通信するための通信手段と、前記通信手段により前記他の通信端末から前記受信手段が将来出力する動画像の内容および出力予定日時を含む予定情報を受信する予定情報受信手段とをさらに備え、前記スケジュール管理手段は、前記予定情報を表示する予定情報表示手段と、前記表示された予定情報のうちから少なくとも１つの予定情報の指定を受付ける予約受付手段とをさらに含み、前記稼動状態記憶手段は、前記予約受付手段により予定情報の指定が受付けられたことに応じて、前記指定された予定情報の少なくとも一部を前記稼動状態情報として記憶する。
【００３４】
この発明に従えば、他の通信端末から予定情報を受信し、予定情報を表示する。表示された予定情報のうちから少なくとも１つの予定情報の指定が受付けられると、指定された予定情報の少なくとも一部を稼動状態情報として記憶する。このため、ユーザは、受信された予定情報から所望のものを指定するだけで、稼動状態情報を記録することができる。その結果、稼動状態情報を容易に入力することができる。
【００３５】
好ましくは、動画像記録手段は、動画像を該動画像が記憶された日時と関連付けて記憶し、動画像記録手段に記憶された動画像を一覧表示する指示の受付に応じて、動画像に関連する関連情報を表示する関連情報表示手段と、表示された関連情報の指定を受付ける関連情報指定手段と、指定された関連情報で特定される日時に基づき、稼動状態情報を読出して表示する稼動状態表示手段とをさらに備える。
【００３６】
この発明に従えば、一覧表示された動画像を指定すると、その動画像の稼動状態情報が表示される。このため、ユーザは、記録された動画像から稼動状態情報を知ることができるので、その動画動を視聴することなくより詳細な情報を知ることができる。
【００３７】
好ましくは、前記受信手段が出力する動画像を該動画像が受信された日時と関連付けて記憶する動画像記録手段と、前記動画像記録手段に記憶された動画像を一覧表示する指示の受付に応じて、前記動画像に関連する関連情報を表示する関連情報表示手段と、前記表示された関連情報の指定を受付ける関連情報指定手段と、前記指定された関連情報で特定される日時に基づき、前記稼動状態情報を読出して表示する稼動状態表示手段とをさらに備える。
【００３８】
この発明に従えば、一覧表示された動画像を指定すると、その動画像の稼動状態情報が表示される。このため、ユーザは、記録された動画像から稼動状態情報を知ることができるので、その動画動を視聴することなくより詳細な情報を知ることができる。
【００３９】
好ましくは、動画像記録手段は、動画像を該動画像が記憶された日時と関連付けて記憶し、動画像記録手段に記憶された動画像を一覧表示する指示の受付に応じて、動画像に関連する関連情報を表示する関連情報表示手段と、表示された関連情報の指定を受付ける関連情報指定手段と、指定された関連情報で特定される日時と同じ日付の個人情報をスケジュール記憶手段から読出して表示するスケジュール表示手段とをさらに含む。
【００４０】
この発明に従えば、一覧表示された動画像を指定すると、その動画像の記録された日の個人情報が表示される。このため、ユーザは動画像を記録した日のスケジュールから動画像を思い出すことができる。
【００４１】
好ましくは、前記受信手段が出力する動画像を該動画像が受信された日時と関連付けて記憶する動画像記録手段と、前記動画像記録手段に記憶された動画像を一覧表示する指示の受付に応じて、前記動画像に関連する関連情報を表示する関連情報表示手段と、前記表示された関連情報の指定を受付ける関連情報指定手段と、前記指定された関連情報で特定される日時と同じ日付の個人情報を前記スケジュール記憶手段から読出して表示するスケジュール表示手段とをさらに含む。
【００４２】
この発明に従えば、一覧表示された動画像を指定すると、その動画像の記録された日の個人情報が表示される。このため、ユーザは動画像を記録した日のスケジュールから動画像を思い出すことができる。
【００４３】
好ましくは、パスワードを予め記憶するパスワード記憶手段をさらに備え、関連情報表示手段は、入力されたパスワードがパスワード記憶手段に記憶されたパスワードと一致することを条件に表示する。
【００４４】
このため、記録した動画像が他人に閲覧されるのを防止することができる。
【００４５】
この発明の他の局面によれば、携帯情報端末は、画像データを入力する入力手段と、入力された画像データを、該画像データが入力された日付と関連付けて記憶する画像データ記憶手段と、個人に関連する情報を日時と関連付けた個人情報を記憶するスケジュール記憶手段と、スケジュール記憶手段に記憶された個人情報を管理するスケジュール管理手段と、画像データの少なくとも一部分を表示する画像データ表示手段と、表示された画像データの一部分の指定を受付ける画像データ指定手段とを備え、スケジュール管理手段は、画像データ指定手段による指定に応じて、指定された画像データが入力された日時と同じ日付の個人情報をスケジュール記憶手段から読み出して表示するスケジュール表示手段を含む。
【００４６】
この発明に従えば、表示された画像データの一部分の指定を受付けると、その画像データが記録された日時と同日の個人情報が表示される。このため、ユーザは、記録された画像データから、それが記録された日のスケジュールを知ることができるので、その画像データが入力された状態、たとえば画像データの入力された時のユーザの位置を関連付けることができる。その結果、画像データとユーザの行動とを関連付けることが可能な携帯情報端末を提供することができる。
【００４７】
この発明の他の局面に従えば、外部から入力された動画像を記録する動画像記録手段と、個人に関連する情報を日時と関連付けた個人情報を記憶するスケジュール記憶手段とを備えたコンピュータで実行されるスケジュール管理プログラムは、動画像記録手段の稼動状態を日時と関連付けた稼動状態情報を個人情報とともにスケジュール記憶手段に記憶するステップと、稼動状態情報に含まれる日時になったことを検出する検出ステップと、検出ステップによる検出に応じて動画像記録手段を能動化するステップとをコンピュータに実行させる。
【００４８】
この発明に従えば、動画像の記録を容易に予約することが可能なスケジュール管理プログラムを提供することができる。
【００４９】
この発明の他の局面に従えば、放送信号を受信する受信手段と、個人に関連する情報を日時と関連付けた個人情報を記憶するスケジュール記憶手段とを備えたコンピュータで実行されるスケジュール管理プログラムは、前記受信手段の稼動状態を日時と関連付けた稼動状態情報を前記個人情報とともに前記スケジュール記憶手段に記憶するステップと、前記稼動状態情報に含まれる日時になったことを検出するステップと、前記検出ステップによる検出に応じて前記受信手段を能動化するステップとをコンピュータに実行させる。
【００５０】
この発明に従えば、放送信号の受信を容易に予約することが可能なスケジュール管理プログラムを提供することができる。
【００５１】
この発明にさらに他の局面によれば、個人に関連する情報を日時と関連付けた個人情報を記憶するスケジュール記憶手段を備えたコンピュータで実行されるスケジュール管理プログラムは、画像データを入力するステップと、入力された画像データを、該画像データが入力された日付と関連付けて記憶するステップと、個人に関連する情報を日時と関連付けた個人情報を記憶するステップと、記憶された画像データの少なくとも一部分を表示するステップと、表示された画像データの一部分の指定を受付けるステップと、画像データの指定に応じて、指定された画像データが入力された日時と同じ日付の個人情報をスケジュール記憶手段から読み出して表示するステップとをコンピュータに実行させる。
【００５２】
この発明に従えば、ユーザは、記録された画像データからそれが記録された日のスケジュールを知ることができるので、その画像データが入力された状態、たとえば画像データの入力された時のユーザの位置を関連付けることができる。その結果、画像データとユーザの行動とを関連付けることが可能なスケジュール管理プログラムを提供することができる。
【００５３】
この発明のさらに他の局面によれば、外部から入力された動画像を記録する動画像記録手段と、個人に関連する情報を日時と関連付けた個人情報を記憶するスケジュール記憶手段とを備えたコンピュータで実行されるスケジュール管理方法は、動画像記録手段の稼動状態を日時と関連付けた稼動状態情報を個人情報とともにスケジュール記憶手段に記憶するステップと、稼動状態情報に含まれる日時になったことを検出する検出ステップと、検出ステップによる検出に応じて動画像記録手段を能動化するステップとをコンピュータに実行させる。
【００５４】
この発明にしたがえば、動画像の記録を容易に予約することが可能なスケジュール管理方法を提供することができる。
【００５５】
この発明のさらに他の局面に従えば、放送信号を受信する受信手段と、個人に関連する情報を日時と関連付けた個人情報を記憶するスケジュール記憶手段とを備えたコンピュータで実行されるスケジュール管理方法は、前記受信手段の稼動状態を日時と関連付けた稼動状態情報を前記個人情報とともに前記スケジュール記憶手段に記憶するステップと、前記稼動状態情報に含まれる日時になったことを検出するステップと、前記検出ステップによる検出に応じて前記受信手段を能動化するステップとをコンピュータに実行させる。
【００５６】
この発明に従えば、放送信号の受信を容易に予約することが可能なスケジュール管理方法を提供することができる。
【００５７】
この発明のさらに他の局面によれば、個人に関連する情報を日時と関連付けた個人情報を記憶するスケジュール記憶手段を備えたコンピュータで実行されるスケジュール管理方法は、画像データを入力するステップと、入力された画像データを、該画像データが入力された日付と関連付けて記憶するステップと、個人に関連する情報を日時と関連付けた個人情報を記憶するステップと、記憶された画像データの少なくとも一部分を表示するステップと、表示された画像データの一部分の指定を受付けるステップと、
画像データの指定に応じて、指定された画像データが入力された日時と同じ日付の個人情報をスケジュール記憶手段から読み出して表示するステップとをコンピュータに実行させる。
【００５８】
この発明に従えば、画像データとユーザの行動とを関連付けることが可能なスケジュール管理方法を提供することができる。
【発明を実施するための最良の形態】
【００５９】
以下、本発明の実施の形態について図面を参照して説明する。以下の説明では、同一の部品には同一の符号を付してある。それらの名称および機能も同じである。したがってそれらについての詳細な説明は繰返さない。
【００６０】
図１は、本発明の実施の形態の１つにおける携帯電話１００の概観斜視図である。図１（Ａ）は、利用者の操作面側から見た携帯電話の外観を示す図である。図１（Ｂ）は、携帯電話の操作面の背面側から見た携帯電話の外観を示す図である。
【００６１】
図１（Ａ）および図１（Ｂ）を参照して、携帯電話１００は、アンテナ１３５を備えた第１の筐体１２１と、第２の筐体１２３とを含む。第１の筐体１２１と第２の筐体１２３とは、接続部１２２により回動自在に接続される。
【００６２】
第１の筐体１２１は、スピーカ１２５と、内側液晶表示装置１２７Ａと、内部カメラ１２９Ａとが配置され、内側液晶表示装置１２７Ａに対向する裏面には、外部カメラ１２９Ｂと外側液晶表示装置１２７Ｂとが配置される。第２の筐体１２３は、操作ボタン１３１Ａと、数字ボタン１３１Ｂと、マイク１３３とが配置され、操作ボタン１３１Ａの裏面には、映像入出力部１３８が配置され、側面にフラッシュメモリ１３７を挿入するための挿入口１３９を備える。
【００６３】
内部カメラ１２９Ａおよび外部カメラ１２９Ｂは、たとえばＣＣＤ（Charge Coupled Device）を含む。
【００６４】
第１の筐体１２１と第２の筐体１２３とは、接続部１２２を回転軸として回動する。これにより携帯電話１００は、第１の筐体１２１の内側液晶表示装置１２７Ａと第２の筐体１２３の数字ボタン１３１Ｂとが互いに向き合う状態で折りたたまれる。携帯電話１００を折りたたんだ状態では、外部カメラ１２９Ｂおよび外側液晶表示装置１２７Ｂが有効とされ、携帯電話１００を開いた状態では、内部カメラ１２９Ａおよび内側液晶表示装置１２７Ａが有効とされる。なお、内部カメラ１２９Ａと外部カメラ１２９Ｂとのいずれを有効にするか、または、内側液晶表示装置１２７Ａと外側液晶表示装置１２７Ｂとのいずれを有効とするかは、携帯電話１００の開閉状態の条件に限られず、他の条件、たとえば、開いた状態で操作ボタン１３１Ａの押下などにより、外部カメラ１２９Ｂおよび外側液晶表示装置１２７Ｂを有効にするようにしてもよい。
【００６５】
なお、本実施形態では、いわゆる折り畳み型の携帯電話について例示しているが、ストレートタイプであっても良いし、２軸タイプ（接続部１２２の回転軸心方向と垂直方向に第２の回動軸を設け、第１の筐体１２１を回動自在に設ける）であっても良い。
【００６６】
操作ボタン１３１Ａは、内側液晶表示装置１２７Ａに表示されたカーソルを移動させるための移動ボタン、確定した指示を入力するための決定ボタン等を含む。数字ボタン１３１Ｂは、数字、文字または記号を入力するためのボタンである。数字ボタン１３１Ｂは、０〜９までの数字と、「＊」および「＃」の記号が付された合計１２のボタンからなる。各ボタンには、アルファベット、かな、または記号が割当てられており、入力モードの切換により、数字入力、かな入力が可能となっている。
【００６７】
映像入出力部１３８には、その一端がチューナ１５０と接続されたケーブル１５１の他端が接続される。ケーブル１５１は、一端がチューナ１５０の映像出力端子および音声出力端子に接続される。チューナ１５０は、放送信号を受信して、映像信号と音声信号を出力する。したがって、映像入出力部１３８は、チューナ１５０とケーブル１５１で接続された状態において、チューナ１５０から出力される映像信号と音声信号とが入力される。
【００６８】
なお、本実施の形態における携帯電話１００は、外部のチューナ１５０と接続する例を示すが、携帯電話１００は、チューナ１５０を内蔵するようにしてもよい。この場合、映像入出力部１３に代えて、チューナ１５０が携帯電話１００に内蔵される。
【００６９】
図２は、携帯電話１００の機能を示す機能ブロック図である。図２を参照して、携帯電話１００は、それぞれがバス１１７に接続された、携帯電話１００の全体を制御するための制御部１０１と、制御部１０１で実行するプログラムを記憶するＲＯＭ（Read Only memory）１０４と、スケジュール情報等を記憶するＥＥＰＲＯＭ（electrically erasable/programable read only memory）１０２と、マイク１３３およびスピーカ１２５に接続されたデータ処理部１０３と、内部カメラ１２９Ａおよび外部カメラ１２９Ｂに接続された画像処理部１１１と、フラッシュメモリ１３７が接続される記憶部１１３と、映像入出力部１３８と接続される映像処理部１１５と、内側液晶表示装置１２７Ａおよび外側液晶表示装置１２７Ｂと接続される表示制御部１０７と、操作ボタン１３１Ａおよび数字ボタン１３１Ｂと接続される入力制御部１０９とを含む。携帯電話１００は、さらに、データ処理部１０３に接続された通信制御部１０５を含む。通信制御部１０５は、アンテナ１３５と接続される。
【００７０】
通信制御部１０５は、携帯電話の基地局と無線通信する。通信制御部１０５は、基地局から受信した信号をデータ処理部１０３に出力し、データ処理部１０３から受信した信号を基地局に送信する。通信制御部１０５は、基地局から着呼信号を受信した場合には、着呼信号をデータ処理部１０３に出力する。
【００７１】
データ処理部１０３は、制御部１０１により制御される。データ処理部１０３は、マイク１３３から入力された音声信号をデジタル信号に変換して、デジタル信号に所定の圧縮処理を施して通信制御部１０５に出力する。また、通信制御部１０５から入力される音声信号を伸張し、アナログ信号に変換してスピーカ１２５に出力する。さらに、通信制御部１０５から受信された画像データを記憶部１１３に記憶する。また、データ処理部１０３は、制御部１０１からの指示に従って、記憶部１１３に記憶されている画像データを読み出して通信制御部１０５に出力する。
【００７２】
画像処理部１１１は、制御部１０１により制御される。画像処理部１１１は、制御部１０１からの指示に従って、内部カメラ１２９Ａまたは外部カメラ１２９Ｂそれぞれで撮像して得られる画像データを内部カメラ１２９Ａまたは外部カメラ１２９Ｂから入力する。そして、画像処理部１１１は、入力された画像データをＪＰＥＧ（joint photographic experts group）、ＭＰＥＧ（moving picture experts group）等の圧縮方式で圧縮して記憶部１１３に記憶する。
【００７３】
記憶部１１３には、フラッシュメモリ１３７が装着される。記憶部１１３は、制御部１０１により制御され、制御部１０１からの指示に従って、装着されたフラッシュメモリ１３７にデータの書き込み、または、フラッシュメモリ１３７からそれに記憶されたデータを読み出す。
【００７４】
表示制御部１０７は、制御部１０１により制御される。表示制御部１０７は、制御部１０１からの指示に従って、内側液晶表示装置１２７Ａおよび外側液晶表示装置１２７Ｂのいずれかに映像信号を出力する。
【００７５】
映像処理部１１５は、制御部１０１により制御される。映像処理部１１５は、制御部１０１からの指示に従って、映像入出力部１３８より入力された映像信号と音声信号とを、デジタル信号に変換し、たとえばＭＰＥＧ２などの圧縮方式で圧縮して記憶部１１３に記憶する。また、制御部１０１からの指示に従って、記憶部１１３に記憶されている映像データを伸張して、映像信号および音声信号を映像入出力部１３８に出力する。
【００７６】
携帯電話１００がチューナ１５０を内蔵する場合には、映像処理部１１５は、制御部１０１からの指示に従って、チューナ１５０より入力された映像信号と音声信号とを、デジタル信号に変換し、たとえばＭＰＥＧ２などの圧縮方式で圧縮して記憶部１１３に記憶する。チューナ１５０は制御部１０１に制御されて、受信するチャンネルを選択する。
【００７７】
入力制御部１０９は、制御部１０１により制御される。入力制御部１０９は、制御部からの指示に従って、操作ボタン１３１Ａおよび数字ボタン１３１Ｂからの入力を受付ける。入力制御部１０９は、操作ボタン１３１Ａおよび数字ボタン１３１Ｂからの入力の受付けに応じて、各ボタンに予め割当てられた入力信号を制御部１０１に出力する。
【００７８】
図３は、制御部の機能の概要を示す機能ブロック図である。図３を参照して、制御部１０１は、ユーザの将来の行動予定を受付けるスケジュール受付部２０１と、ＥＰＧを取得するＥＰＧ取得部２０９と、ユーザによる録画予約の設定を受付ける録画予約部２１１と、スケジュール受付部２０１および録画予約部それぞれから出力される個人情報および稼動状態情報をスケジュール情報として記憶するスケジュール登録部２０３と、スケジュール情報を表示するスケジュール表示部２０５と、スケジュール情報に基づき映像を録画するための映像録画部２１３と、画像を取得して記憶するための画像取得部２１５と、映像録画部２１３で録画された動画像および画像取得部２１５で取得された画像を管理するための画像管理部２０７とを含む。
【００７９】
スケジュール受付部２０１は、表示制御部１０７に、ＥＥＰＲＯＭ１０２に予め記憶された個人情報入力画面を出力する。個人情報入力画面は、ユーザの行動とその日時とを入力する欄を有する。ユーザが個人情報入力画面の行動入力欄に入力した行動と、日時を入力する欄に入力した日時とが入力制御部１０９から受信される。スケジュール受付部２０１は、受信した行動と日時とを個人情報としてスケジュール登録部２０３に出力する。行動は、ユーザの将来の行動予定と過去の行動履歴とを含む。日時は、行動が予定されているまたは予定されていた年月日に加えて開始時刻および終了時刻を含む。
【００８０】
ＥＰＧ取得部２０９は、入力制御部１０９によりユーザからのＥＰＧ取得の要求が検出されると、通信制御部１０５を制御して、予め定められたネットワークアドレス（ＵＲＬ：uniform resource locators）にアクセスさせ、ＥＰＧを取得させる。取得されたＥＰＧは、録画予約部２１１に出力される。通信制御部１０５で受信されるＥＰＧは、テキストデータである。ＥＰＧは、チャンネル名、プログラム名、年月日、開始時刻、終了時刻、内容を含む。内容は、プログラムの詳細を示し、たとえば、出演者、あらすじなどを含む。
【００８１】
録画予約部２１１は、ＥＰＧ取得部２０９から受信したＥＰＧを表示制御部１０７に出力する。表示制御部１０７では、入力されたＥＰＧを内側液晶表示装置１２７Ａまたは外側液晶表示装置１２７Ｂのいずれかに表示する。録画予約部２１１では、表示されたＥＰＧのいずれかのプログラムが指定されたことが入力制御部１０９で検出されると、指定されたプログラムを録画するための稼動状態情報を生成する。ここで生成される稼動状態情報は、ＥＰＧの年月日、チャンネル名、開始時刻、終了時刻、内容を含む。
【００８２】
また、録画予約部２１１は、録画モードを設定するための録画設定画面をＥＥＰＲＯＭ１０２より読み出して、表示制御部１０７に出力する。表示制御部１０７では、入力された録画設定画面を内側液晶表示装置１２７Ａまたは外側液晶表示装置１２７Ｂのいずれかに表示する。録画設定画面は、録画する際の録画モードである画質、サイズ、優先モードと、アラームおよびシークレットの有無とを設定するための画面である。録画設定画面で設定される情報を録画条件という。画質およびサイズは、録画する画像データの解像度および大きさを示す。優先モードは、着信優先と録画優先とのいずれかが指定される。優先モードが着信優先の場合には、着信があった場合に録画が中止され、録画優先の場合には、着信があった場合に着信が無視される。アラームの有無は、開始時刻より所定の時間前の段階で、ユーザに警告するか否かを示す。シークレットの有無は、録画した画像データを閲覧する者をユーザに限定するか否かを示す。
【００８３】
録画予約部２１１では、録画設定画面でユーザにより予約条件が指定されたことが入力制御部１０９で検出されると、指定された予約条件を取得する。録画予約部２１１は、稼動状態情報に予約条件を付加する。予約条件が付加された稼動状態情報は、年月日、チャンネル名、開始時刻、終了時刻、内容、画質、サイズ、優先モード、アラームの有無、シークレットの有無を含む。
【００８４】
スケジュール登録部２０３は、スケジュール受付部２０１から入力される個人情報、および録画予約部２１１から入力される稼動状態情報とをスケジュール情報として、ＥＥＰＲＯＭ１０２に記憶する。
【００８５】
スケジュール表示部２０５は、ユーザによるスケジュールの表示指示が入力制御部１０９で検出されることに応じて、スケジュールの表示要求に含まれる年月日に該当するスケジュール情報を記憶部１１３より読み出す。スケジュール表示部２０５は、読み出したスケジュール情報の全てを含むスケジュール表示画面を生成して、表示制御部１０７に出力する。スケジュール情報には、個人情報と稼動状態情報を含むので、内側液晶表示装置１２７Ａまたは外側液晶表示装置１２７Ｂには、個人情報と稼動状態情報とが表示される。この際、個人情報と稼動状態情報とが複数あって、内側液晶表示装置１２７Ａまたは外側液晶表示装置１２７Ｂに一度に表示できない場合には、ユーザによる操作ボタン１３１Ａの操作に従って、内側液晶表示装置１２７Ａまたは外側液晶表示装置１２７Ｂに表示するスケジュール表示画面をスクロールさせるようにすればよい。いずれにしても、個人情報と稼動状態情報とからなるスケジュール情報は単一の画面で表示される。
【００８６】
映像録画部２１３は、日時および時刻を計時するタイマを備える。映像録画部２１３は、記憶部１１３に記憶されているスケジュール情報を読出す。そして、読み出したスケジュール情報のうちに、開始時刻が現在時刻となる稼動状態情報を抽出する。そして、抽出した稼動状態情報に基づいて、映像処理部１１５を制御して、映像入出力部１３８から入力される映像信号を圧縮して、圧縮したデータを画像データとして記憶部１１３に記憶する。すなわち、映像録画部２１３は、現在時刻が稼動状態情報の開始時刻になったことを検出し、映像処理部１１４を起動する。映像処理部１１４は、起動されると、映像入出力部１３８から入力される映像信号を圧縮して、圧縮したデータを画像データとして記憶部１１３に記憶する稼動状態となる。起動とは、映像録画部２１３が映像処理部１１４を能動化することをいう。映像処理部１１４の能動化とは、映像処理部１１４を稼動状態にすることをいう。映像処理部１１４は、稼動状態では、映像入出力部１３８から入力される映像信号を圧縮して、圧縮したデータを画像データとして記憶部１１３に記憶する。映像処理部１１４が能動化されている状態が稼動状態である。
【００８７】
携帯電話１００がチューナ１５０を内蔵する場合には、映像録画部２１３は、現在時刻が稼動状態情報の開始時刻になったことを検出し、映像処理部１１４を起動する。映像処理部１１４は、起動されると、チューナ１５０から入力される映像信号を圧縮して、圧縮したデータを画像データとして記憶部１１３に記憶する稼動状態となる。
【００８８】
映像録画部２１３は、映像処理部１１５を起動する際、稼動状態情報から画像関連情報を生成して、生成した画像関連情報を記憶部１１３に記憶した画像データと関連付けて記憶部１１３に記憶する。なお、映像信号は、動画像信号と音声信号を含む。映像録画部２１３が生成する画像関連情報は、映像処理部１１５に入力された映像に関連する情報である。画像関連情報は、映像処理部１１５にその映像が入力された年月日、開始時刻、サイズ、ファイルサイズ、フォーマット、取得元を含む。サイズは、画像データの１フレームの大きさである。ファイルサイズは圧縮後の画像データのファイル容量である。フォーマットはファイル形式である。取得元は、映像入出力部１３８から入力されたデータであるのか、内部カメラ１２９Ａまたは外部カメラ１２９Ｂから入力されたデータであるのかの別を示し、ここでは映像入出力部１３８から入力されたデータなので「録画」とされる。
【００８９】
画像取得部２１５は、日時および時刻を計時するタイマを備える。画像取得部２１５は、ユーザによる撮影指示が入力制御部１０９で検出された場合、画像処理部１１１を制御して、内部カメラ１２９Ａまたは外部カメラ１２９Ｂに撮影を実行させる。そして、内部カメラ１２９Ａまたは外部カメラ１２９Ｂから出力される画像データを圧縮して、圧縮した画像データを記憶部１１３に記憶させる。この際、タイマが計時する年月日および時刻と、画像処理部１１１が記憶部１１３に記憶した画像データとから画像関連情報を生成して、生成した画像関連情報を記憶部１１３に記憶する。なお、外部カメラ１２９Ｂから出力される画像データは、静止画像および動画像のいずれであってもよい。さらに音声を含んでいてもよい。画像取得部２１５が生成する画像関連情報は、画像処理部１１１に入力された画像データに関連する情報である。画像関連情報は、画像処理部１１１に画像データが入力された年月日、開始時刻、サイズ、ファイルサイズ、フォーマット、取得元を含む。取得元は、ここでは内部カメラ１２９Ａまたは外部カメラ１２９Ｂから入力されたデータなので、「カメラ」とされる。
【００９０】
画像管理部２０７は、記憶部１１３に記憶された画像データを管理する。画像管理部２０７は、ユーザによる画像データの一覧を要求する指示が入力制御部１０９で検出された場合、記憶部１１３に記憶されている画像データの縮小画像（以下「サムネイル」という）を生成する。このサムネイルは、画像データに関連する関連情報である。また、サムネイルは、静止画像を縮小したものであるから静止画像の一部分である。また、サムネイルは、動画像のあるフレームを縮小したものであるから動画像の一部分である。
【００９１】
そして、生成したサムネイルを表示制御部１０７に出力する。これにより、内側液晶表示装置１２７Ａまたは外側液晶表示装置１２７Ｂに記憶部１１３に記憶されている全ての画像データのサムネイルが表示される。なお、サムネイルは、画像データが動画像の場合には、最初のフレームまたは任意のフレームの縮小画像とすればよい。
【００９２】
ユーザがこの表示を見て、所望のサムネイルを操作ボタン１３１Ａで指定すると、画像管理部２０７は、その指定されたサムネイルに対応する画像データの画像関連情報を記憶部１１３より読み出す。そして、読み出した画像関連情報の年月日を含むスケジュールの表示指示をスケジュール表示部２０５に出力する。これにより、指定された画像データが記録されたのと同じ日の個人情報が内側液晶表示装置１２７Ａまたは外側液晶表示装置１２７Ｂに表示される。
【００９３】
図４は、スケジュール情報の一例を示す図である。スケジュール情報は、スケジュール登録部２０３で生成されて記憶部１１３に記憶される情報である。図４を参照して、２００４年２月１日のスケジュール情報を示している。スケジュール情報は、開始時刻と、終了時刻と、内容と、分類と、アラームの有無と、シークレットの有無と、チャンネルと、画質と、サイズと、優先モードとの項目を含む。これらの項目のうち、個人情報は、開始時刻と、終了時刻と、内容と、分類と、アラームの有無と、シークレットの有無の項目を含み、稼動状態情報は全ての項目を含む。開始時刻は行動が開始される時刻を、終了時刻は行動が終了する時刻を示す。内容は行動の詳細を示し、分類は個人情報と稼動状態情報の別を示す。アラームの有無は開始時刻前に報知するか否かを示し、シークレットの有無はスケジュール情報をパスワードの一致を条件に出力するか否かを示す。
【００９４】
図４では、スケジュール情報は、１つの個人情報と２つの稼動状態情報を含む。個人情報は、開始時刻が１０時００分であり、終了時刻が１１時００分であり、内容は「会議」、分類は個人情報を示す「個人」であり、アラームおよびシークレットはオンである。
【００９５】
開始時刻が２１時００分の稼動状態情報は、終了時刻が２３時００分であり、内容が映画の題名、出演者名、ＵＲＬを含み、分類は稼動状態情報を示す「録画」であり、アラームがオンであり、シークレットがオフであり、チャンネルが「１」であり、高画質の大きいサイズで、録画優先モードに設定されている。開始時刻が２３時００分の稼動状態情報は、終了時刻が２４時００分であり、内容がニュースの題名およびＵＲＬを含み、分類は稼動状態情報を示す「録画」であり、アラームおよびシークレットがオフであり、チャンネルが「３」であり、低画質の小さいサイズで、着呼優先モードに設定されている。
【００９６】
図５は、画像関連情報の一例を示す図である。画像関連情報は、映像録画部２１３または画像取得部２１５で生成され、画像管理部２０７により記憶部１１３に記憶される情報である。画像関連情報は、記憶部１１３に記憶される画像データと関連付けられて記憶される。図５を参照して、画像関連情報は、年月日と、時刻と、サイズと、ファイルサイズと、フォーマットと、取得元との項目を含む。年月日および時刻は画像データが記憶部１１３に記憶された年月日および時刻を、サイズは画像データの１フレームの大きさを示し、ファイルサイズは画像データのデータ量を示し、フォーマットはファイル形式を示す。取得元は画像データが映像入出力部１３８から入力されたデータであるのか、内部カメラ１２９Ａまたは外部カメラ１２９Ｂから入力されたデータであるのかを示す。図５では、２００４年２月１日に記憶された３つの画像データそれぞれの画像関連情報を示している。時刻１０：００に記憶された画像データの画像関連情報は、サイズが６００×６００ドットで、１Ｍｂｙｅのファイルサイズで、ＪＰＥＧ方式で圧縮された内部カメラ１２９Ａまたは外部カメラ１２９Ｂで撮影して得られた画像データであることが示される。
【００９７】
また、時刻２１：００に記憶された画像データの画像関連情報は、サイズが２００×２００ドットで、１０００Ｍｂｙｅのファイルサイズで、ＭＰＥＧ３方式で圧縮された映像入出力部１３８に入力された画像データであることが示される。また、時刻２３：００に記憶された画像データの画像関連情報は、サイズが１００×１００ドットで、５００Ｍｂｙｅのファイルサイズで、ＭＰＥＧ３方式で圧縮された映像入出力部１３８に入力された画像データであることが示される。
【００９８】
図６は、本実施の形態における携帯電話で実行される個人情報入力処理の流れを示すフローチャートである。この個人情報入力処理は、スケジュール受付部２０１およびスケジュール登録部２０３で実行される処理である。図６を参照して、ユーザによる個人情報入力指示が入力制御部１０９で検出されたか否かが判断される（ステップＳ０１）。個人情報入力指示が検出された場合には、ステップＳ０２へ進み、そうでない場合は待機状態となる。換言すれば、個人情報入力処理は、個人情報入力指示が検出された場合に実行される処理である。
【００９９】
ステップＳ０２では、内側液晶表示装置１２７Ａまたは外側液晶表示装置１２７Ｂに個人情報入力画面を表示する。図７は、個人情報入力画面の一例を示す図である。図７を参照して、個人情報入力画面は、年月日を入力する欄と、開始時刻を入力する欄と、終了時刻を入力する欄と、内容を入力する欄と、アラームおよびシークレットの有無を入力する欄とを含む。図では、年月日に２００４年２月１日が入力され、開始時刻に１０時００分が入力され、終了時刻に１１時００分が入力され、内容に「会議」が入力され、アラームにオンが入力され、シークレットにオフが入力された場合を示している。
【０１００】
図６に戻って、ステップＳ０３では、ユーザが個人情報入力画面に入力した、年月日、開始時刻、終了時刻、内容、アラームおよびシークレットの有無が受付けられる。そして、入力の終了指示が入力制御部１０９で検出されたか否かが判断される（ステップＳ０４）。入力の終了指示が検出された場合には、ステップＳ０５へ進み、そうでない場合はステップＳ０３が繰り返し実行される。
【０１０１】
次のステップＳ０５では、ステップＳ０３で入力された年月日、開始時刻、終了時刻、内容、アラームおよびシークレットの有無を個人情報として記憶部１１３に記憶する。
【０１０２】
図８は、本実施の形態における携帯電話で実行されるスケジュール表示処理の流れを示すフローチャートである。スケジュール表示処理は、スケジュール表示部２０５で実行される処理である。図８を参照して、ユーザによるスケジュールの表示指示が入力制御部１０９で検出されたか否かが判断される（ステップＳ０６）。スケジュールの表示指示が検出された場合には、ステップＳ０７へ進み、そうでない場合は待機状態となる。換言すれば、スケジュール表示処理は、スケジュールの表示指示が検出された場合に実行される処理である。
【０１０３】
次に、ステップＳ０７でユーザによる年月日の入力が入力制御部１０９で受付けられる。年月日の入力が受付けられると、ステップＳ０８において、ステップＳ０７で入力された年月日と同一の年月日のスケジュール情報を記憶部１１３から読出す。スケジュール情報は、個人情報と稼動状態情報を含む。そして、読出したスケジュール情報を表示するためのスケジュール出力画面を生成する（ステップＳ０９）。そして、生成したスケジュール出力画面を内側液晶表示装置１２７Ａまたは外側液晶表示装置１２７Ｂに表示する（ステップＳ１０）。これにより内側液晶表示装置１２７Ａまたは外側液晶表示装置１２７Ｂには、ステップＳ０７で入力された年月日と同じ年月日の個人情報と稼動状態情報とが同一画面で表示される。
【０１０４】
図９は、スケジュール出力画面の一例を示す図である。図９では、２００４年２月１日のスケジュール情報を表示する画面を示す。図９を参照して、図４に示したスケジュール情報の全てが１つの画面に表示される。また、スケジュール出力画面は、スケジュール情報のうち開始時刻と、終了時刻と、内容とが表示される。また、内容は、最初の数文字が表示される。画面に多くのスケジュール情報を表示するためのである。
【０１０５】
図１０は、本実施の形態における携帯電話で実行される録画予約・録画処理の流れを示すフローチャートである。録画予約・録画処理は、ＥＰＧ取得部２０９、録画予約部２１１、映像録画部２１３および画像管理部２０７で実行される処理である。図１０を参照して、ユーザによるＥＰＧ受信指示が入力制御部１０９で検出されたか否かが判断される（ステップＳ１１）。ＥＰＧ受信指示が検出された場合には、ステップＳ１２へ進み、そうでない場合は待機状態となる。換言すれば、録画予約・録画処理は、ＥＰＧ受信指示が検出された場合に実行される処理である。また、録画予約・録画処理は、ステップＳ１８で現在時刻が稼動状態情報の開始時刻となった場合にも実行される。
【０１０６】
ステップＳ１２では、予め定められたネットワークアドレス（ＵＲＬ）にアクセスして、ＥＰＧを受信する。そして、受信したＥＰＧを内側液晶表示装置１２７Ａまたは外側液晶表示装置１２７Ｂに表示する（ステップＳ１３）。ＥＰＧは、テキストデータであり、予め定められたフォーマットで受信される。ＥＰＧは、チャンネル名、プログラム名、年月日、開始時刻、終了時刻、内容を含む。
【０１０７】
次のステップＳ１４では、表示されたＥＰＧのうちからプログラムを指定する指示が入力制御部１０９で検出されたか否かが判断される（ステップＳ１４）。指定指示が検出された場合はステップＳ１５に進み、検出されない場合はステップＳ１３に戻る。
【０１０８】
ステップＳ１５では、録画モードを設定するための録画設定画面を記憶部１１３より読み出して、内側液晶表示装置１２７Ａまたは外側液晶表示装置１２７Ｂに表示し、録画モードの設定を受付ける。録画設定画面は、録画する際の画質、サイズ、優先モード、アラームの有無、シークレットの有無を設定するための画面である。
【０１０９】
次のステップＳ１６では、ステップＳ１４で指定されたプログラムに対応するＥＰＧと、ステップＳ１５で設定された録画モードとから稼動状態情報を生成し、記憶部１１３に記憶する。稼動状態情報は、年月日、チャンネル名、開始時刻、終了時刻、内容、分類、アラームおよびシークレットの有無、チャンネル、画質、サイズ、優先モードを含む。
【０１１０】
次のステップＳ１７では、現在時刻が取得される。そして、記憶部１１３に記憶されているスケジュール情報を読出し、読み出したスケジュール情報のうちで、開始時刻が現在時刻となる稼動状態情報があるか否かを判断する。そのような稼動状態情報が存在する場合にはステップＳ１９に進み、存在しない場合には処理を終了する。
【０１１１】
ステップＳ１９では、開始時刻が現在時刻となる稼動状態情報に基づいて、映像処理部１１５に対して、映像入出力部１３８から入力された映像信号を圧縮して、圧縮したデータを画像データとして記憶部１１３に記憶するよう録画開始指示を出力する。稼動状態情報は、終了時刻、画質、サイズおよび優先モードを含むので、映像処理部１１５は、終了時刻になるまで、入力される映像信号を指定の画質およびサイズの画像データに変換して、優先モードで記憶する。
【０１１２】
そして、ステップＳ２０では、内側液晶表示装置１２７Ａまたは外側液晶表示装置１２７Ｂの表示を待ち受け画面から録画中であることを示す表示に切換える。これにより、ユーザは、携帯電話１００の現在の稼動状態を確認することができる。
【０１１３】
そして、通信制御部１０５により着呼が検出されたか否かが判断される（ステップＳ２１）。着呼が検出された場合にはステップＳ２２に進み、着呼が検出されない場合にはステップＳ２６に進む．ステップＳ２２では、ステップＳ１８で抽出された稼動状態情報の優先モードが録画優先モードか否かが検出される。録画優先モードの場合にはステップＳ２５に進み、そうでない場合にはステップＳ２３に進む。
【０１１４】
ステップＳ２３では、映像入出力部１３８から入力された映像信号を画像データに変換して記憶する録画を終了するよう映像処理部１１５を制御する。これにより、映像入出力部１３８から入力された映像信号の録画が終了される。なお、携帯電話１００がチューナ１５０を内蔵する場合には、チューナ１５０による受信が中止される。この場合、チューナ１５０から映像信号が出力されなくなるので、録画が終了される。
【０１１５】
そして、次のステップＳ２４で着呼動作を開始する。着呼動作は、音または振動子による振動による報知である。
【０１１６】
一方、ステップＳ２５では、録画動作を優先させるため、着呼動作をすることなくステップＳ２６に進む。
【０１１７】
ステップＳ２６では、映像処理部１１５による録画動作が終了したか否かが判断される。録画動作の終了の検出は、ステップＳ１８で抽出された稼動状態情報の終了時刻が経過した場合の他、ステップＳ２３で録画動作が強制的に終了された場合、または、ユーザによる録画動作の終了指示が入力制御部１０９で検出された場合を含む。録画動作が終了した場合にはステップＳ２７に進み、そうでない場合にはステップＳ２１に戻る。
【０１１８】
ステップＳ２７では、内側液晶表示装置１２７Ａまたは外側液晶表示装置１２７Ｂの表示を、録画中であることを示す表示から待ち受け画面に切換える。また、録画が終了したことを示す画面を表示するようにしてもよい。さらに、音または振動子による振動で録画が終了したことを報知するようにしてもよい。これにより、ユーザは、録画状態にあった携帯電話が待ち受け状態となったことを知ることができる。
【０１１９】
次に、ステップＳ１８で抽出された稼動状態情報から画像データの画像関連情報を生成して、生成した画像関連情報を記憶部１１３に記憶する（ステップＳ２８）。この画像関連情報は、録画動作で記憶部に記憶された画像データと関連付けられて記憶される。
【０１２０】
図１１は、図１０のステップＳ１３で実行されるＥＰＧ表示処理の流れを示すフローチャートである。図１１を参照して、受信したＥＰＧを内側液晶表示装置１２７Ａまたは外側液晶表示装置１２７Ｂに表示する（ステップＳ３１）。図１２は、ＥＰＧ表示画面の一例を示す図である。図１２を参照して、チャンネル名に「１」が、そして、４つのプログラムそれぞれについて、開始時刻、終了時刻、およびプログラム名が表示されている。図１２では、開始時刻が２１：００、終了時刻が２３：００、プログラム名が「映画の題名」とされたプログラムが選択されている場合を示す。図では、選択されたプログラムにハッチングを付して示している。
【０１２１】
図１１に戻って、ステップＳ３２では、ユーザによる内容照会の指示が入力制御部１０９で検出されたか否かが判断される。内容照会の指示が検出された場合にはステップＳ３３に進み、検出されない場合には処理を終了する。
【０１２２】
ＥＰＧは、テキストデータであり、チャンネル名、プログラム名、年月日、開始時刻、終了時刻、内容を含む。ステップＳ３３では、テキストデータのＥＰＧのうちから内容照会の指示がされたプログラムの内容を取得する。そして、取得した内容のうちからキーワードを抽出する（ステップＳ３４）。キーワードは、ここでは、ＵＲＬと固有名称が抽出される。抽出されたキーワードがＵＲＬであるか否かが判断される（ステップＳ３５）。この判断は、キーワードが「ｈｔｔｐ」の文字で始まる英数文字であるか否かにより判断される。ＵＲＬと判断した場合にはステップＳ３６に進み、そうでない場合にはステップＳ３７に進む、ステップＳ３６では、「ｈｔｔｐ」の文字で始まる英数文字を抽出する。
【０１２３】
次のステップＳ３７では、抽出されたキーワードが固有名称であるか否かが判断される。この判断は、キーワードが予めＥＥＰＲＯＭ１０２に記憶してある候補に該当するか否かにより判断する。固有名称と判断した場合にはステップＳ３８に進み、そうでない場合にはステップＳ３９に進む。ステップＳ３８では、固有名称とされたキーワードを抽出する。
【０１２４】
そして、ステップＳ３３で取得された内容を表示する（ステップＳ３９）。この際、ステップＳ３６でＵＲＬが抽出された場合、または、ステップＳ３８で固有名称が抽出された場合には、内容のうち抽出されたＵＲＬおよび固有名称を反転表示または下線を付すなどして、ＵＲＬおよび固有名称を指定可能な態様で表示する。この画面を、内容照会画面という。
【０１２５】
図１３は、内容照会画面の一例を示す図である。図１３を参照して、内容照会画面は、チャンネル名、開始時刻、終了時刻に加えて内容が表示されている。また、内容のうちでＵＲＬおよび固有名称は、ユーザが指定可能なように他の部分と区別して表示される。図１３では、ＵＲＬおよび固有名称とされた部分にアンダーラインを付して表示する例を示している。
【０１２６】
図１１に戻って、ステップＳ４０では、内容照会画面に表示されたＵＲＬを指定する指示が入力制御部１０９で検出されたか否かが判断される。ＵＲＬを指定する指示が検出された場合にはステップＳ４１に進み、そうでない場合にはステップＳ４１をスキップしてステップＳ４２へ進む。ステップＳ４１では、ＵＲＬにアクセスして、そのＵＲＬで特定されるウェブ（Ｗｅｂ）ページを受信し、内側液晶表示装置１２７Ａまたは外側液晶表示装置１２７Ｂに表示する。ＥＰＧの内容に含まれるＵＲＬは、そのプログラムに関連するＷｅｂページであるので、ユーザはそのようなＷｅｂページを閲覧することで、そのプログラムを閲覧するか否かを容易に判断することができる。
【０１２７】
次のステップＳ４２では、内容照会画面に表示された固有名称を指定する指示が入力制御部１０９で検出されたか否かが判断される。ＵＲＬを指定する指示が検出された場合にはステップＳ４３に進み、そうでない場合には処理を終了する。ステップＳ４３では、予め定められた検索サイトのＵＲＬにアクセスして、その検索サイトに指定された固有名称をキーワードとして送信する。すると、検索サイトでは、固有名称をキーワードとしたＷｅｂページの検索を実行し、検索結果を携帯電話１００に送信する。携帯電話１００では、通信制御部１０５により検索結果を受信して、内側液晶表示装置１２７Ａまたは外側液晶表示装置１２７Ｂに表示する（ステップＳ４４）。ＥＰＧの内容に含まれる固有名称は、そのプログラムに関連する情報、たとえば、番組の出演者、地名であるので、それを検索キーワードとして検索した結果得られるＷｅｂページはそのプログラムに関連することが多い。このため、ユーザはそのようＷｅｂページを閲覧することで、そのプログラムを閲覧するか否かを容易に判断することができる。
【０１２８】
図１４は、本実施の形態における携帯電話で実行される画像取得処理の流れを示すフローチャートである。画像取得処理は、画像取得部２１５で実行される処理である。図１４を参照して、ユーザによる内部カメラ１２９Ａまたは外部カメラ１２９Ｂでの撮影指示が入力制御部１０９で検出されたか否かが判断される（ステップＳ６１）。撮影指示が検出された場合には、ステップＳ６２へ進み、そうでない場合は待機状態となる。換言すれば、画像取得処理は、撮影指示が検出された場合に実行される処理である。
【０１２９】
ステップＳ６２では、画像処理部１１１に内部カメラ１２９Ａまたは外部カメラ１２９Ｂから出力される画像データを記憶部１１３に記録させる。そして、ステップＳ６３において、ステップＳ６２で記録した画像データについて画像関連情報を生成し、記憶部１１３に記憶する。画像関連情報は、画像データの記憶された年月日、時刻、画像サイズ、ファイルサイズ、ファイルのフォ−マット、取得元を含む。取得元は、ここでは画像データは内部カメラ１２９Ａまたは外部カメラ１２９Ｂから取得されるので「カメラ」とされる。
【０１３０】
図１５は、本実施の形態における携帯電話で実行される画像管理処理の流れを示すフローチャートである。画像管理処理は、画像管理部２０７およびスケジュール表示部２０５で実行される処理である。図１５を参照して、ユーザによる画像データの一覧表示の指示が入力制御部１０９で検出されたか否かが判断される（ステップＳ５１）。その表示指示が検出された場合には、ステップＳ５２へ進み、そうでない場合は待機状態となる。換言すれば、画像管理処理は、表示指示が検出された場合に実行される処理である。
【０１３１】
ステップＳ５２では、ユーザにパスワードの入力を促す画面を内側液晶表示装置１２７Ａまたは外側液晶表示装置１２７Ｂに表示し、ユーザによるパスワードの入力を受付ける。そして、入力されたパスワードが、ＥＥＰＲＯＭ１０２に予め記憶されたパスワードと一致するか否かを判断する。２つのパスワードが一致する場合にはステップＳ５３に進み、一致しない場合には処理を終了する。換言すれば、画像管理処理は、携帯電話１００を操作する者が特定の者である場合に実行される処理である。
【０１３２】
ステップＳ５３では、記憶部１１３に記憶されている画像データのサムネイルを生成して表示する。サムネイルを表示する画面を一覧表示画面という。ここでは、記憶部１１３に記憶されている全ての画像データが対象となる。なお、日付を指定して対象となる画像データを絞り込んだりするようにしてもよい。なお、サムネイルは、画像データが動画像の場合には、最初のフレームまたは任意のフレームの縮小画像とすればよい。
【０１３３】
図１６は、一覧表示画面の一例を示す図である。図１６を参照して、３つのサムネイル３０１，３０２，３０３が表示される。サムネイル３０１は、図５に示した時刻が１０：００の画像関連情報に対応する画像データのサムネイルである。サムネイル３０２は、図５に示した時刻が２１：００の画像関連情報に対応する画像データのサムネイルである。サムネイル３０３は、図５に示した時刻が２３：００の画像関連情報に対応する画像データのサムネイルである。この一覧表示画面に、画像データがサムネイル３０１，３０２，３０３で表示されるので、ユーザは画像データの内容を容易に把握することができる。
【０１３４】
図１５に戻って、次のステップＳ５４では、ユーザによるサムネイルを指定する指示が入力制御部１０９で検出されたか否かが判断される。サムネイルの指定指示が検出された場合には、ステップＳ５５へ進み、そうでない場合は処理を終了する。ステップＳ５５〜ステップＳ６０は、１つのサムネイルが指定された場合に実行される処理である。ステップＳ５４では複数のサムネイルを指定することが可能であり、この場合には、ステップＳ５５からステップＳ６０までの処理が、指定されたサムネイルごとに実行されることになる。
【０１３５】
ステップＳ５５では、ユーザによるスケジュール情報の表示の指示が入力制御部１０９で検出されたか否かが判断される。その表示指示が検出された場合には、ステップＳ５６へ進み、そうでない場合はステップＳ６０に進む。
【０１３６】
ステップＳ５６では、指定されたサムネイルに対応する画像データを特定する。ステップＳ５３で一覧表示画面を表示する際に、画像データからサムネイルを生成したが、この時点で画像データとサムネイルとを対応付けている。したがって、サムネイルから画像データを特定することができる。
【０１３７】
そして、特定された画像データの画像関連情報が記憶部１１３より読み出され、年月日が取得される（ステップＳ５７）。ここで取得される年月日は、画像データが携帯電話１００に入力された年月日であればよい。したがって、記憶部１１３に画像データを記録した年月日が記憶されている場合は、その年月日を用いてもよい。画像管理部２０７は、取得した年月日を含む表示要求を、スケジュール表示部２０５に出力する。
【０１３８】
そして、スケジュール表示部２０５は、記憶部１１３に記憶されているスケジュール情報を検索し、ステップＳ５６で取得した年月日のスケジュール情報を抽出する（ステップＳ５８）。そして、抽出したスケジュール情報を含むスケジュール表示画面を生成し、そのスケジュール表示画面を内側液晶表示装置１２７Ａまたは外側液晶表示装置１２７Ｂに表示する（ステップＳ５９）。
【０１３９】
一方、ステップＳ６０では、ステップＳ５４で指定されたサムネイルに対応する画像データを特定し、その画像データの稼動状態情報を内側液晶表示装置１２７Ａまたは外側液晶表示装置１２７Ｂに表示する。画像データに関連する画像関連情報から稼動状態情報の特定が可能である。このように、サムネイルを指定すると、そのサムネイルに対応する画像データを記録するための情報であった稼動関連情報が表示される。稼動関連情報は、プログラムの内容を含むので、ユーザは、画像データを視聴することなく、画像データの詳細な内容をテキストで確認することができる。
【０１４０】
図１７は、スケジュール表示画面の一例を示す図である。図１７では、記憶部１１３に記憶された画像データが指定された場合に表示されるスケジュール表示画面を例に示している。図１７を参照して、図４に示した２００４年２月１日の３つのスケジュール情報が表示される。表示される項目は、年月日と、開始時刻と、終了時刻と、内容の一部と、分類とである。
【０１４１】
画像管理処理では、ユーザが画像データを指定すると、その画像データが携帯電話１００に入力された年月日のスケジュール情報を含むスケジュール表示画面が表示されるので、画像データとスケジュール情報とが関連付けられる。このため、スケジュール表示画面を見たユーザは、画像データからは得ることのできない情報、たとえば、その画像が撮影された場所、そのときの自分の行動など画像データが取得された状態を知ることができる。
【０１４２】
以上説明したように本実施の形態における携帯電話１００は、個人情報を管理するために従来用いられていたアラーム機能を用いて、映像処理部１１５を起動させることができる。このため、簡単な構成で動画像の記録を予約することができる。
【０１４３】
また、個人情報と稼動状態情報とをスケジュール表示画面に表示するので、携帯電話１００が映像を記録している間、すなわち、携帯電話１００を携帯して移動することができない時間帯をユーザ個人の行動とともに知らせることができる。
【０１４４】
また、映像処理部１１５で映像入出力部１３８に入力された映像を記録している間に、着呼が検出された場合には、記録を中止するので、ユーザは記録しているときでも発呼者と通話することができる。
【０１４５】
また、ＥＰＧが受信されると、ＥＰＧからＵＲＬまたは固有名称が抽出され、抽出されたＵＲＬまたは固有名称が指定されると、それらに関連するＷｅｂページが表示されるので、ユーザはＥＰＧのプログラムを記録するか否かを容易に判断することができる。
【０１４６】
また、ＥＰＧのうちからプログラムが指定されると、指定されたプログラムに対応するＥＰＧの年月日、開始時刻、終了時刻、チャンネル、内容が稼動状態情報として記憶される。このため、ユーザは、表示されたＥＰＧから所望のプログラムを指定するだけで、録画設定することができる。
【０１４７】
また、画像データの一覧表示指示の受付に応じて、画像データのサムネイルを表示し、指定されたサムネイルの画像データの稼動状態情報を読出して表示するので、ユーザは、その画動データを視聴することなくより詳細な情報をテキストで知ることができる。
【０１４８】
また、一覧表示画面のサムネイルを指定すると、そのサムネイルの画像データの記録された日のスケジュール情報が表示される。スケジュール情報は個人情報を含むため、ユーザは画像データを記録した日の個人の行動履歴から画像データの記録された状態、たとえば画像データの入力された場所を関連付けることができ、画像データとユーザの行動履歴とを関連付けることができる。この一覧表示画面は、入力されたパスワードが承認されたことを条件に表示するので、画像データが他人に見られるのを防止することができる。
【０１４９】
なお、本実施の形態においては、携帯電話１００について説明したが、通信機能および画像記憶機能を有する携帯型の情報端末であっても適用することができる。また、そのような携帯電話または携帯情報端末で実行されるプログラムまた方法として本願発明を把握することができる。
【０１５０】
（１）  上述した携帯電話は、個人に関連する情報を日時と関連付けた個人情報を記憶するスケジュール記憶手段と、
前記スケジュール記憶手段に記憶された個人情報を管理するスケジュール管理手段と、
外部から入力された動画像を記録する動画像記録手段と、
他の通信端末と無線で通信するための通信手段と、
前記通信手段により前記他の通信端末から前記外部装置が将来出力する動画像の内容および出力予定日時を含む予定情報を受信する予定情報受信手段とを備え、
前記スケジュール管理手段は、前記予定情報を表示する予定情報表示手段と、
前記表示された予定情報のうちから少なくとも１つの予定情報の指定を受付ける予約受付手段と、
前記受信された予定情報からキーワードを抽出するキーワード抽出手段と、
前記抽出されたキーワードの指定を受付けるキーワード指定手段と、
前記通信手段に前記指定されたキーワードに応じたネットワークアドレスにアクセスさせるアクセス制御手段と、
前記予約受付手段により予定情報の指定が受付けられたことに応じて、前記指定された予定情報の少なくとも一部を稼動状態情報とし、前記個人情報とともに前記スケジュール記憶手段に記憶する稼動状態情報記憶手段とを含む。
【０１５１】
（２）  （１）において前記アクセス制御手段は、前記キーワードがネットワークアドレスの場合、該ネットワークアドレスにアクセスする。
【０１５２】
（３）  （１）において前記アクセス制御手段は、前記キーワードがネットワークアドレスでない場合、予め定められた検索サイトのネットワークアドレスにアクセスし、前記キーワードを検索キーとして送信する。
【０１５３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５４】
【図１】本発明の実施の形態の１つにおける携帯電話１００の概観斜視図である。
【図２】携帯電話１００の機能的構成を示す機能ブロック図である。
【図３】制御部の機能の概要を示す機能ブロック図である。
【図４】スケジュール情報の一例を示す図である。
【図５】画像関連情報の一例を示す図である。
【図６】本実施の形態における携帯電話で実行される個人情報入力処理の流れを示すフローチャートである。
【図７】個人情報入力画面の一例を示す図である。
【図８】本実施の形態における携帯電話で実行されるスケジュール表示処理の流れを示すフローチャートである。
【図９】スケジュール出力画面の一例を示す図である。
【図１０】本実施の形態における携帯電話で実行される録画予約録画処理の流れを示すフローチャートである。
【図１１】図１０のステップＳ１３で実行されるＥＰＧ表示処理の流れを示すフローチャートである。
【図１２】ＥＰＧ表示画面の一例を示す図である。
【図１３】内容照会画面の一例を示す図である。
【図１４】本実施の形態における携帯電話で実行される画像取得処理の流れを示すフローチャートである。
【図１５】本実施の形態における携帯電話で実行される画像管理処理の流れを示すフローチャートである。
【図１６】一覧表示画面の一例を示す図である。
【図１７】スケジュール表示画面の一例を示す図である。
【符号の説明】
【０１５５】
１００  携帯電話、１０１  制御部、１０３  データ処理部、１０５  通信制御部、１０７  表示制御部、１０９  入力制御部、１１１  画像処理部、１１３  記憶部、１１５  映像処理部、１１７  バス、１２１，１２３  筐体、１２２  接続部、１２５  スピーカ、１２７Ａ  内側液晶表示装置、１２７Ｂ  外側液晶表示装置、１２９Ａ  内部カメラ、１２９Ｂ  外部カメラ、１３１Ａ  操作ボタン、１３１Ｂ  数字ボタン、１３３  マイク、１３５  アンテナ、１３７  フラッシュメモリ、１３８  映像入出力部、１３９  挿入口、１５０  チューナ、１５１  ケーブル、２０１  スケジュール受付部、２０３  スケジュール登録部、２０５  スケジュール表示部、２０７  画像管理部、２０９  取得部、２１１  録画予約部、２１３  映像録画部、２１５  画像取得部。
【図１】
2005236912.tif 000003
【図２】
2005236912.tif 000004
【図３】
2005236912.tif 000005
【図４】
2005236912.tif 000006
【図５】
2005236912.tif 000007
【図６】
2005236912.tif 000008
【図７】
2005236912.tif 000009
【図８】
2005236912.tif 000010
【図９】
2005236912.tif 000011
【図１０】
2005236912.tif 000012
【図１１】
2005236912.tif 000013
【図１２】
2005236912.tif 000014
【図１３】
2005236912.tif 000015
【図１４】
2005236912.tif 000016
【図１５】
2005236912.tif 000017
【図１６】
2005236912.tif 000018
【図１７】
2005236912.tif 000019